(57)【要約】【課題】絞り羽根の幅狭化を図ると同時に、絞り羽根の枚数を増加させ易い絞り装置を提供する。【解決手段】絞り装置１０は、第１平面板１０２の一方の面から第１方向の側に突出した第１固定ボス１２０及び他方の面から第２方向の側に突出した移動ボス１３０を有する絞り羽根１００と、第２平面板２０２の一方の面から第１方向の側に突出した第２固定ボス２２０を有し絞り羽根１００と共に一対をなす漏光防止羽根２００と、第１カム溝３３０が形成された駆動環３００と、絞り羽根１００、漏光防止羽根２００及び駆動環３００を収容する収容体４００と、を備え、漏光防止羽根２００には第２カム溝２３０が更に設けられ、絞り羽根１００の移動ボス１３０は、漏光防止羽根２００の第２カム溝２３０に嵌挿され、且つ、駆動環３００の第１カム溝３３０に嵌挿されている。【選択図】図３
2017227742.tif 000002
【特許請求の範囲】
【請求項１】
複数の羽根を光軸に対して進退させることにより絞り開口の開口径を変化させる絞り装置であって、
第１平面板からなり、当該絞り装置の絞り開口に入射する光を遮る第１羽根部と、前記第１平面板の一方の面から光軸に沿った第１方向の側に突出した第１固定ボスと、前記第１平面板の他方の面から前記第１方向とは逆方向の第２方向の側に突出した移動ボスとを有する絞り羽根と、
第２平面板からなり、当該絞り装置の絞り開口に入射する光を遮る第２羽根部と、前記第２平面板の一方の面から前記第１方向の側に突出した第２固定ボスとを有し、前記絞り羽根と共に一対をなす漏光防止羽根と、
前記移動ボスが嵌挿され、カム溝の位置により前記光軸との距離が異なる第１カム溝を有し、前記光軸を中心に回転することで、前記第１カム溝を、前記光軸を中心とする周方向に移動させる駆動環と、
前記絞り羽根、前記漏光防止羽根及び前記駆動環を収容する収容体と、を備え、
前記絞り装置は、一対をなす前記絞り羽根及び前記漏光防止羽根を複数対備え、前記駆動環には、前記移動ボス毎に対応して前記第１カム溝が複数形成され、
前記収容体には、各前記一対をなす絞り羽根及び漏光防止羽根に対応して前記第１固定ボス及び前記第２固定ボスがそれぞれ挿入される一対の第１孔及び第２孔が前記絞り羽根及び前記漏光防止羽根の対数設けられ、
前記漏光防止羽根には第２カム溝が更に設けられ、
前記絞り羽根の前記移動ボスは、前記漏光防止羽根の前記第２カム溝に嵌挿され、且つ、前記駆動環の前記第１カム溝に嵌挿されていることを特徴とする絞り装置。
【請求項２】
請求項１に記載の絞り装置において、
前記駆動環の回転方向のうち、前記駆動環を回転させて前記第１カム溝を移動させることによって、前記絞り羽根を光軸に向けて移動せしめる方向を絞り回転方向としたときに、
前記漏光防止羽根の前記第２固定ボスは、前記絞り羽根の前記第１固定ボスよりも絞り回転方向の前方に位置するように、前記一対をなす絞り羽根及び漏光防止羽根が配置され、且つ、前記一対の第１孔及び第２孔の位置関係が設定されていることを特徴とする絞り装置。
【請求項３】
請求項１又は２に記載の絞り装置において、
前記収容体は、前記絞り羽根及び前記漏光防止羽根が内側に配置される円筒形の外周壁を有し、該外周壁の内側には、前記駆動環が載置される駆動環載置面を有する段部が配置され、
前記絞り羽根は、前記第１固定ボスが配設されており、且つ、前記第１羽根部から突出している第１突出部を有し、
該第１突出部は、前記第１羽根部の外周縁よりも前記光軸からの距離が遠い位置に位置し、
前記収容体の前記段部には、前記第１突出部の少なくとも一部が入り込む凹部が設けられていることを特徴とする絞り装置。
【請求項４】
請求項１〜３のいずれかに記載の絞り装置において、
前記収容体は、前記絞り羽根及び前記漏光防止羽根が内側に配置される円筒形の外周壁を有し、該外周壁の内側には、前記駆動環が載置される駆動環載置面を有する段部が配置され、
前記漏光防止羽根は、前記第２固定ボスが配設されており、且つ、前記第２羽根部から突出している第２突出部を有し、
該第２突出部は、前記第２羽根部の外周縁よりも前記光軸からの距離が遠い位置に位置し、
前記収容体の前記段部には、前記第２突出部の少なくとも一部が入り込む凹部が設けられていることを特徴とする絞り装置。
【請求項５】
請求項１〜４のいずれかに記載の絞り装置において、
前記一対をなす絞り羽根及び漏光防止羽根の少なくとも一方の外周縁には、前記絞り羽根及び漏光防止羽根が絞り開口の開口径を最大とする位置に移動させられたときに、別の一対をなす前記絞り羽根及び前記漏光防止羽根についての前記第２固定ボスを内側に配置するように切り欠いた凹部が設けられていることを特徴とする絞り装置。
【請求項６】
請求項１〜５のいずれかに記載の絞り装置において、
前記駆動環の回転方向のうち、前記駆動環を回転させて前記第１カム溝を移動させることによって、前記絞り羽根を光軸に向けて移動せしめる方向を絞り回転方向としたときに、
前記第１カム溝は、前記光軸を中心とした円周方向に対して、前記絞り回転方向に向かうにつれて前記光軸から離れる方向に傾斜する角度に形成され、前記第２カム溝は、前記円周方向に対する角度を、前記第１カム溝の前記円周方向に対する角度に比べて小さく形成されていることを特徴とする絞り装置。
【請求項７】
請求項１〜６のいずれかに記載の絞り装置及びレンズが収容されたレンズ鏡筒。
【請求項８】
請求項１〜６のいずれかに記載の絞り装置又は請求項７に記載のレンズ鏡筒を備えた撮像装置又は投影装置。
【発明の詳細な説明】
【技術分野】
【０００１】
本発明は、絞り装置、レンズ鏡筒及び撮像装置又は投影装置に関する。
【背景技術】
【０００２】
カメラ等の撮像装置において、結像面に入射する被写体光の光量を調節する絞り装置が用いられている。絞り装置には、円環状の収容体が備えられている。絞り開口の開口径が最大（フル開放）にされたときに、絞り羽根は収容体の幅内に退避させられる。したがって、収容体の幅は、絞り羽根の退避スペースとして、少なくとも絞り羽根の幅以上の幅を確保しなければならない。
絞り装置を小型化するため、かかる絞り羽根の退避スペースを狭くすべく、絞り羽根の幅自体を狭くする取り組み（絞り羽根の幅狭化）が従来よりなされている。
しかし、絞り羽根の幅狭化を進めると、絞り開口以外の部分で漏光し易いという問題を生じることが知られている。
【０００３】
この漏光の問題を解決するため、絞り羽根に加えて漏光防止羽根を導入し、この漏光防止羽根によって漏光の原因となっている隙間を埋める構成とした絞り装置が従来から知られている（例えば、特許文献１参照。）。
【０００４】
図８は、従来の絞り装置９００を説明するために示す平面図である。図８（ａ）は絞り装置９００を光軸ＯＡに沿って平面視したときの平面図である。図８（ａ）において、漏光防止羽根９２０が突出した状況のみ示し、絞り羽根９１０の図示は省略している。図８（ｂ）は絞り羽根９１０を、図８（ｃ）は漏光防止羽根９２０を、図８（ｄ）は収容体９４０をそれぞれ示す平面図である。
【０００５】
従来の絞り装置９００は、図８に示すように、複数の羽根を光軸ＯＡに対して進退させることにより絞り開口の開口径を変化させる絞り装置９００であって、絞り羽根本体９１１、絞り羽根本体９１１の一方の面から光軸ＯＡに沿った第１方向の側に突出した絞り羽根固定ボス９１２、及び、絞り羽根本体９１１の他方の面から第１方向とは逆方向の第２方向の側に突出した絞り羽根移動ボス９１３を有する絞り羽根９１０と、漏光防止羽根本体９２１、漏光防止羽根本体９２１の一方の面から第１方向の側に突出した漏光防止羽根固定ボス９２２、及び、漏光防止羽根本体９２１の他方の面から第２方向の側に突出した漏光防止羽根移動ボス９２３を有し、上記絞り羽根９１０と共に一対をなす漏光防止羽根９２０と、移動ボスが嵌挿され、溝の位置により光軸ＯＡとの距離が異なるカム溝９３３を有し、光軸ＯＡを中心に回転することで、カム溝９３３を、光軸ＯＡを中心とする周方向に移動させる駆動環９３０と、絞り羽根９１０、漏光防止羽根９２０及び駆動環９３０を収容する収容体９４０と、を備え、当該絞り装置９００は、一対をなす絞り羽根９１０及び漏光防止羽根９２０を複数対備え（図８における従来の絞り装置９００では６対備えている。）、駆動環９３０には、該一対をなす絞り羽根９１０及び漏光防止羽根９２０の対数に対応した数だけ、カム溝９３３が形成され、収容体９４０には、該一対をなす絞り羽根９１０及び漏光防止羽根９２０に対応して絞り羽根固定ボス９１２及び漏光防止羽根固定ボス９２２がそれぞれ挿入される一対の第１孔９４１ｊ及び第２孔９４２ｊが絞り羽根及び漏光防止羽根の対数設けられ、積層された一対をなす絞り羽根９１０及び漏光防止羽根９２０は、一のカム溝９３３に対して、絞り羽根移動ボス９１３及び漏光防止羽根移動ボス９２３がそれぞれ嵌挿されている（ただし、ｊは１以上の整数。）。
【０００６】
従来の絞り装置９００によれば、絞り羽根を駆動させるための既存の基本構造（収容体、駆動環等）をそのまま借用して漏光防止羽根９２０を追加することができ、絞り羽根の幅狭化に伴う漏光を防ぐことができる。
【先行技術文献】
【特許文献】
【０００７】
【特許文献１】特開平５−１１３５９１号公報
【発明の概要】
【発明が解決しようとする課題】
【０００８】
しかしながら、従来の絞り装置９００は、一のカム溝９３３に対して絞り羽根移動ボス９１３及び漏光防止羽根移動ボス９２３がそれぞれ嵌挿された構造となっている。そして、一のカム溝９３３により２種類の羽根（絞り羽根９１０及び漏光防止羽根９２０）を駆動している。したがって、カム溝９３３の長さは、絞り羽根９１０を駆動させる長さに加えて、漏光防止羽根９２０を駆動させる長さも必要になる。
つまり、カム溝９３３は、絞り羽根９１０を駆動するための溝と漏光防止羽根９２０を駆動するための溝とを設ける必要があり、いずれか一方の羽根のみを駆動する溝のみを設ける構成に比べて、長いカム溝になる。
上述のように、従来の絞り装置９００によれば、一本のカム溝で２種類の羽根を駆動しているため、長いカム溝が必要となる。そのため、駆動環９３０の限られたスペースに設けることができるカム溝の数は増やし難く、ひいては絞り羽根の枚数を増やすことも難しくなる。
なお、参考までに、複数の絞り羽根により形成される絞り開口の形状は、角張った形状よりも円形に近い形状の方が撮像品位上好ましく、絞り羽根の数を多くするほど、絞り開口の形状を円形に近づけ易い。そのため、撮像品位上は、絞り羽根の枚数を増加させることが望ましい。
【０００９】
本発明は上記事情に鑑みてなされたものであり、絞り羽根の枚数を増加させ易い絞り装置を提供することを目的とする。
【課題を解決するための手段】
【００１０】
［１］本発明の絞り装置は、複数の羽根を光軸に対して進退させることにより絞り開口の開口径を変化させる絞り装置であって、第１平面板からなり、当該絞り装置の絞り開口に入射する光を遮る第１羽根部と、前記第１平面板の一方の面から光軸に沿った第１方向の側に突出した第１固定ボスと、前記第１平面板の他方の面から前記第１方向とは逆方向の第２方向の側に突出した移動ボスとを有する絞り羽根と、第２平面板からなり、当該絞り装置の絞り開口に入射する光を遮る第２羽根部と、前記第２平面板の一方の面から前記第１方向の側に突出した第２固定ボスとを有し、前記絞り羽根と共に一対をなす漏光防止羽根と、前記移動ボスが嵌挿され、カム溝の位置により前記光軸との距離が異なる第１カム溝を有し、前記光軸を中心に回転することで、前記第１カム溝を、前記光軸を中心とする周方向に移動させる駆動環と、前記絞り羽根、前記漏光防止羽根及び前記駆動環を収容する収容体と、を備え、前記絞り装置は、一対をなす前記絞り羽根及び前記漏光防止羽根を複数対備え、前記駆動環には、前記移動ボス毎に対応して前記第１カム溝が複数形成され、前記収容体には、各前記一対をなす絞り羽根及び漏光防止羽根に対応して前記第１固定ボス及び前記第２固定ボスがそれぞれ挿入される一対の第１孔及び第２孔が前記絞り羽根及び前記漏光防止羽根の対数設けられ、前記漏光防止羽根には第２カム溝が更に設けられ、前記絞り羽根の前記移動ボスは、前記漏光防止羽根の前記第２カム溝に嵌挿され、且つ、前記駆動環の前記第１カム溝に嵌挿されていることを特徴とする。
【００１１】
漏光防止羽根には第２カム溝が更に設けられ、絞り羽根の移動ボスが、漏光防止羽根の当該第２カム溝に嵌挿され、且つ、駆動環の第１カム溝に嵌挿されていることから、駆動環が回転すると、絞り羽根には駆動環の第１カム溝を通じて移動ボスに対して力が働き、第１固定ボスを支点（回動軸）として絞り羽根の第１羽根部が回動する。併せて、移動ボスが第１カム溝に沿って動くことに伴い、漏光防止羽根には移動ボスを通じて第２カム溝に対して力が働き、第２固定ボスを支点（回動軸）として漏光防止羽根の第２羽根部が回動する。このように、駆動環の第１カム溝に嵌挿されているボスは絞り羽根の移動ボスのみであるものの、絞り羽根を駆動する過程で連動するように漏光防止羽根も併せて駆動することができる。
このような絞り装置によれば、第１カム溝には漏光防止羽根を駆動するためのカム溝パターンを形成する必要がないため、その分、当該第１カム溝の長さは、従来の絞り装置におけるカム溝の長さよりも短くすることができる。第１カム溝の長さを短くできるため、駆動環に設けることができる第１カム溝の数を増やすことが容易となる。かくして、本発明に係る絞り装置によれば、絞り羽根の枚数を増加させ易い絞り装置を提供することができる。
【００１２】
［２］本発明の絞り装置においては、前記駆動環の回転方向のうち、前記駆動環を回転させて前記第１カム溝を移動させることによって、前記絞り羽根を光軸に向けて移動せしめる方向を絞り回転方向としたときに、前記漏光防止羽根の前記第２固定ボスは、前記絞り羽根の前記第１固定ボスよりも絞り回転方向の前方に位置するように、前記一対をなす絞り羽根及び漏光防止羽根が配置され、且つ、前記一対の第１孔及び第２孔の位置関係が設定されていることが好ましい。
【００１３】
第２固定ボスを第１固定ボスよりも絞り回転方向の前方に位置するように配置することにより、第２固定ボスと第２カム溝との間の距離（漏光防止羽根の回動に関係する支点と力点との間の距離）Ｌ２を、第１固定ボスと移動ボスとの間の距離（絞り羽根の回動に関係する支点と力点との間の距離）Ｌ１よりも長く設定することができる。
このような距離の違いにより、漏光防止羽根が回動する角速度を、絞り羽根が回動する角速度よりも遅くすることができ、漏光防止羽根を絞り羽根よりも遅れて突出させることができる。
【００１４】
［３］本発明の絞り装置において、前記収容体は、前記絞り羽根及び前記漏光防止羽根が内側に配置される円筒形の外周壁を有し、該外周壁の内側には、前記駆動環が載置される駆動環載置面を有する段部が配置され、前記絞り羽根は、前記第１固定ボスが配設されており、且つ、前記第１羽根部から突出している第１突出部を有し、  該第１突出部は、前記第１羽根部の外周縁よりも前記光軸からの距離が遠い位置に位置し、前記収容体の前記段部には、前記第１突出部の少なくとも一部が入り込む凹部が設けられていることが好ましい。
【００１５】
第１突出部は、第１羽根部の外周縁よりも光軸からの距離が遠い位置に位置し、収容体の前記段部には、前記第１突出部の少なくとも一部が入り込む凹部が設けられている。そのため、第１突出部及び凹部を設けることで、仮に第１突出部及び凹部を設けない場合に比べて、収容体の外周壁の大径化を抑えることができ、ひいては絞り装置を小型化することができる。
【００１６】
［４］本発明の絞り装置において、前記収容体は、前記絞り羽根及び前記漏光防止羽根が内側に配置される円筒形の外周壁を有し、該外周壁の内側には、前記駆動環が載置される駆動環載置面を有する段部が配置され、前記漏光防止羽根は、前記第２固定ボスが配設されており、且つ、前記第２羽根部から突出している第２突出部を有し、  該第２突出部は、前記第２羽根部の外周縁よりも前記光軸からの距離が遠い位置に位置し、前記収容体の前記段部には、前記第２突出部の少なくとも一部が入り込む凹部が設けられていることが好ましい。
【００１７】
第２突出部は、前記第２羽根部の外周縁よりも前記光軸からの距離が遠い位置に位置し、前記収容体の前記段部には、前記第２突出部の少なくとも一部が入り込む凹部が設けられている。そのため、第２突出部及び凹部を設けることで、仮に第２突出部及び凹部を設けない場合に比べて、収容体の外周壁の大径化を抑えることができ、ひいては絞り装置を小型化することができる。
【００１８】
［５］本発明の絞り装置において、前記一対をなす絞り羽根及び漏光防止羽根の少なくとも一方の外周縁には、前記絞り羽根及び漏光防止羽根が絞り開口の開口径を最大とする位置に移動させられたときに、別の一対をなす前記絞り羽根及び前記漏光防止羽根についての前記第２固定ボスを内側に配置するように切り欠いた凹部が設けられていることが好ましい。
【００１９】
このような絞り装置によれば、一対をなす絞り羽根１００及び漏光防止羽根２００と、別の一対をなす絞り羽根１００及び漏光防止羽根２００についての第２固定ボス２２０との干渉を避けることができ、絞り装置の大型化を抑えることができる。
【００２０】
［６］本発明の絞り装置では、前記駆動環の回転方向のうち、前記駆動環を回転させて前記第１カム溝を移動させることによって、前記絞り羽根を光軸に向けて移動せしめる方向を絞り回転方向としたときに、前記第１カム溝は、前記光軸を中心とした円周方向に対して、前記絞り回転方向に向かうにつれて前記光軸から離れる方向に傾斜する角度に形成され、前記第２カム溝は、前記円周方向に対する角度を、前記第１カム溝の前記円周方向に対する角度に比べて小さく形成されていることが好ましい。
【００２１】
このような絞り装置によれば、円周方向に対して、第２カム溝の角度を第１カム溝の角度よりも大きくした場合に比べ、漏光防止羽根２００の駆動をより円滑に行うことができる。
【００２２】
［７］本発明のレンズ鏡筒は、上記［１］〜［６］のいずれかに記載の絞り装置及びレンズが収容されていることを特徴とする。
【００２３】
［８］本発明の撮像装置又は投影装置は、上記［１］〜［６］のいずれかに記載の絞り装置又は上記［７］に記載のレンズ鏡筒を備えていることを特徴とする。
【図面の簡単な説明】
【００２４】
【図１】実施形態１に係る絞り装置１０を説明するために示す斜視図である。
【図２】実施形態１に係る絞り装置１０を説明するために示す平面図である。
【図３】実施形態１に係る絞り装置１０の要部を説明するために示す斜視図である。
【図４】実施形態１に係る絞り装置１０における絞り羽根１００及び漏光防止羽根２００の回動について説明するために示す平面図である。
【図５】実施形態１に係る絞り装置１０の要部を説明するために示す平面図である。
【図６】実施形態２に係る絞り装置１０ａの要部を説明するために示す斜視図である。
【図７】実施形態３に係るレンズ鏡筒２０、及び、実施形態４に係る撮像装置３０又は投影装置３５を説明するために示す模式図である。
【図８】従来の絞り装置９００を説明するために示す平面図である。
【発明を実施するための形態】
【００２５】
以下、本発明の絞り装置、レンズ鏡筒及び撮像装置又は投影装置を図に示す実施形態に基づいて詳細に説明する。
【００２６】
［実施形態１］
１．実施形態１に係る絞り装置１０の基本構造
図１〜図２は、実施形態１に係る絞り装置１０を説明するために示す図である。図１（ａ）は、絞り装置１０を分解した状態の斜視図である。なお、絞り羽根１００及び漏光防止羽根２００は、互いに重ね合わされた状態で図示されている。図１（ｂ）は、組み立てた状態の絞り装置１０の斜視図である。なお、スナップリング５００は駆動環３００の脱落防止目的で収容体４００の外周壁４１０（後述する。）の内側に取り付けられる。図２は、絞り装置１０を光軸ＯＡに沿って平面視したときの平面図である。図２（ａ）は、絞り羽根１００及び漏光防止羽根２００を収容体４００の幅（光軸ＯＡと直交する方向の幅）内に退避させた状態を示すものであり、絞り開口（絞り羽根１００により形成される開口）の開口径を最大にした状態（フル開放状態）を示している。図２（ｃ）は、絞り開口の開口径を最小にした最小絞り状態を示す図である。図２（ｂ）は、絞り羽根１００及び漏光防止羽根２００をフル開放状態と最小絞り状態との間の位置に移動させた中間絞り状態を示す図である。なお、図２（ａ）及び図２（ｃ）においては、一対をなす絞り羽根１００及び漏光防止羽根２００と、それらに対応する第１カム溝３３０とが図示されており、他の絞り羽根、漏光防止羽根及び第１カム溝は図示が省略されている。
【００２７】
実施形態１に係る絞り装置１０の収容体４００は、図１及び図２に示すように、光軸ＯＡに沿って平面視したとき、開口４１３を有する円環の形状である。複数の羽根（ここでは絞り羽根１００）を開口４１３の内側（光軸ＯＡに向けて）に突出させることにより絞り開口の開口径ＡＤが変更させられる。絞り開口の開口径ＡＤが変更させられることで、絞り開口を通過する光の量が調節される。
絞り装置１０は、絞り羽根１００、漏光防止羽根２００、駆動環３００及び収容体４００を備える。収容体４００を受け皿として、その上に、複数の絞り羽根１００及び複数の漏光防止羽根２００が重ねられるように積層され、さらにその上に駆動環３００が載置されている。さらに、その上には、スナップリング５００が載置され、収容体４００の外周壁４１０の内壁に嵌合されている。
開口径ＡＤは、図２（ａ）〜図２（ｃ）に示すように、絞り羽根１００の開口４１３内への突出量に応じて、絞りの開口径が、開口径ＡＤｆ〜開口径ＡＤｍ〜最小絞り状態の開口径というように遷移しながら変更される。
【００２８】
２．実施形態１に係る絞り装置の詳細な構造
図３は、実施形態１に係る絞り装置１０の要部を説明する図であり、一対をなす絞り羽根１００及び漏光防止羽根２００とそれらに対応する駆動環３００及び収容体４００の一部とを取り出して示した斜視図である。その他の構成要素については図示が省略されている。
【００２９】
図３に示すように、絞り羽根１００は、第１平面板１０２からなり、開口４１３の内側に突出し絞り開口を形成し、絞り装置１０の絞り開口に入射する光を遮る第１羽根部１１０と、第１平面板１０２の一方の面Ｆ１から光軸ＯＡに沿った第１方向の側に突出した第１固定ボス１２０と、第１平面板１０２の他方の面Ｆ２から第１方向とは逆方向の第２方向の側に突出した移動ボス１３０とを有する。
第１平面板１０２は、遮光性を有しており、他の構成要件（漏光防止羽根２００、収容体４００等）と合わせて滑らかに摺動することができる材料からなっている。第１固定ボス１２０及び移動ボス１３０は、一定の半径を有する円筒の形状を有している。第１固定ボス１２０の「固定」の意味は、収容体に対するボスの位置は移動せず固定的であるという意味であり、ボス単体では回転可能であるものとする。
【００３０】
漏光防止羽根２００は、第２平面板２０２からなり、当該絞り装置１０の内側に入射する光を遮る第２羽根部２１０と、第２平面板２０２の一方の面Ｆ３から第１方向の側に突出した第２固定ボス２２０とを有する。そして、かかる漏光防止羽根２００は、上記した絞り羽根１００と共に一対をなしている。
第２平面板２０２も第１平面板１０２と同様に、他の構成要件（絞り羽根１００、収容体４００等）と合わせて滑らかに摺動することができる材料からなっている。また、第２固定ボス２２０は、一定の半径を有する円筒の形状を有している。第２固定ボス２２０の「固定」の意味は、収容体に対するボスの位置は移動せず固定的であるという意味であり、ボス単体では回転可能であるものとする。
【００３１】
駆動環３００は、図１〜図３に示すように、第１カム溝３３０が形成されており、内側が円形に開口した環状平面板である。
第１カム溝３３０は、移動ボス１３０が嵌挿され、カム溝の位置により光軸ＯＡとの距離が異なるように構成されている。ただし、周方向に沿ってカム溝をみたときに光軸ＯＡとの距離が同じ区間を一部有していても構わない。
かかる駆動環３００が光軸ＯＡを中心に回転すると、第１カム溝３３０は、光軸ＯＡを中心とする周方向に移動する。このとき、第１カム溝３３０に嵌挿された移動ボス１３０は、第１固定ボス１２０を中心に回転させられる。つまり、移動ボス１３０は、第１固定ボス１２０を回転中心にして、開口４１３の内側に向かう方向（以下、−ｒ方向とする。）と、開口４１３の外側に向かう方向（以下、ｒ方向とする。）とに移動させられる。
駆動環３００に回転力を付与する方法はいかなる方法でもよいが、実施形態１においては、駆動環本体３１０と一体となって回転する回転レバー３４０を設け、当該回転レバー３４０に対して図示しない回転力付与手段から力を加える。
【００３２】
収容体４００は、図１〜図３に示すように、形状としては内側に開口４１３を有し全体として円環の形状である。そして、上記したとおり、絞り羽根１００、漏光防止羽根２００及び駆動環３００を収容する。
また、収容体４００には、上記した一対をなす絞り羽根１００及び漏光防止羽根２００に対応して第１固定ボス１２０及び第２固定ボス２２０がそれぞれ挿入される一対の第１孔４０１ｊ及び第２孔４０２ｊが、ｎセット（絞り羽根１００及び漏光防止羽根２００の対数）設けられている（ただし、ｎは２以上の整数。）。
さらに、収容体４００には、図１（ｂ）に示すように、駆動環３００の回転レバー３４０が回転できるように外周壁４１０の一部を切り欠いた切欠部４１１を有している。
【００３３】
絞り装置１０全体としては、上記した一対をなす絞り羽根１００及び漏光防止羽根２００をｎセット（複数対）備えている。駆動環３００には、絞り羽根１００毎に設けられている移動ボス１３０にそれぞれ対応するようにして第１カム溝３３０がｎ個（複数）形成されている。
上記した一対をなす絞り羽根１００及び漏光防止羽根２００は、図２（ａ）、図２（ｃ）、図３等に示すように、第２方向に向かって絞り羽根１００及び漏光防止羽根２００の順で積層されている。
【００３４】
上記に加え、漏光防止羽根２００には第２カム溝２３０が更に設けられている。第２カム溝２３０は、移動ボス１３０に対応した位置に配置される。
絞り羽根１００の移動ボス１３０は、漏光防止羽根２００の第２カム溝２３０に嵌挿され、且つ、駆動環３００の第１カム溝３３０にも嵌挿されている。
なお、移動ボス１３０は第１カム溝３３０及び第２カム溝２３０に「嵌挿」されているとしているが、移動ボス１３０が、第１カム溝３３０の深さ（駆動環３００の厚さ）の一部にだけ挿入されていてもよいし、第２カム溝２３０に加えて第１カム溝３３０を貫通していてもよい。なお、実施形態１においては、ほぼ貫通する程度の状態としている。
【００３５】
３．実施形態１に係る絞り装置１０の作用・効果
実施形態１に係る絞り装置１０は、上述したように、複数の羽根を光軸に対して進退させることにより絞り開口の開口径を変化させる絞り装置であって、絞り羽根１００と、この絞り羽根１００と一対をなす漏光防止羽根２００と、駆動環３００と、収容体４００とを有する。
絞り羽根１００は、第１平面板１０２からなり、絞り装置１０の絞り開口（絞り羽根１００により形成される開口）に入射する光を遮る第１羽根部１１０と、第１平面板１０２の一方の面Ｆ１から光軸ＯＡに沿った第１方向の側に突出した第１固定ボス１２０と、第１平面板１０２の他方の面Ｆ２から第１方向とは逆方向の第２方向の側に突出した移動ボス１３０とを有する。
漏光防止羽根２００は、第２平面板２０２からなり、絞り装置１０の絞り開口に入射する光を遮る第２羽根部２１０と、第２平面板２０２の一方の面Ｆ３から第１方向の側に突出した第２固定ボス２２０とを有する。
駆動環３００は、移動ボス１３０が嵌挿される第１カム溝３３０を有する。この第１カム溝３３０は、カム溝の位置により光軸ＯＡとの距離が異なる。駆動環３００は、光軸ＯＡを中心に回転することができる。したがって、駆動環３００が光軸ＯＡを中心に回転すると、第１カム溝３３０が周方向に移動する。これにより、第１カム溝３３０に嵌挿された移動ボス１３０は、ｒ方向または−ｒ方向に移動させられる。
収容体４００は、絞り羽根１００、漏光防止羽根２００及び駆動環３００を収容する。
絞り装置１０は、一対をなす絞り羽根１００及び漏光防止羽根２００をｎセット（複数対）備える。駆動環３００には、絞り羽根１００毎に設けられている移動ボス１３０にそれぞれ対応するようにして第１カム溝３３０がｎ個（複数）形成されている。
収容体４００には、一対をなす絞り羽根１００及び漏光防止羽根２００に対応して、第１固定ボス１２０及び第２固定ボス２２０がそれぞれ挿入される一対の第１孔４０１ｊ及び第２孔４０２ｊが設けられている。第１孔４０１ｊ及び第２孔４０２ｊは、ｎセット（絞り羽根１００及び漏光防止羽根２００の対数）設けられている。
漏光防止羽根２００には第２カム溝２３０が設けられ、絞り羽根１００の移動ボス１３０は、漏光防止羽根２００の第２カム溝２３０に嵌挿され、且つ、駆動環３００の第１カム溝３３０に嵌挿されている。
【００３６】
実施形態１に係る絞り装置１０は、上述したように、漏光防止羽根２００には第２カム溝２３０が更に設けられている。そして、絞り羽根１００の移動ボス１３０が、漏光防止羽根２００の当該第２カム溝２３０に嵌挿され、且つ、駆動環３００の第１カム溝３３０に嵌挿されている。
このような構造を採ることにより、以下のような作用が働くこととなる。（１）図示しない回転力付与手段から回転力が加えられて駆動環３００が回転する。（２）駆動環３００が回転すると、絞り羽根１００においては、駆動環３００から第１カム溝３３０を通じて、移動ボス１３０に対して力が働く。つまり絞り羽根１００は、移動ボス１３０を力点とし、第１固定ボス１２０を支点（回動軸）として回動することとなる。（３）移動ボス１３０が第１固定ボス１２０を中心に回転（例えば−ｒ方向に移動）することに伴い、漏光防止羽根２００においては、移動ボス１３０から第２カム溝２３０に対して力が働く。つまり漏光防止羽根２００は、移動ボス１３０から第２カム溝２３０に力が働いた箇所を力点とし、第２固定ボス２２０を支点（回動軸）として回動することとなる（図３等を参照。）。
このように実施形態１に係る絞り装置１０では、駆動環３００の第１カム溝３３０に嵌挿されているボスは絞り羽根１００の移動ボス１３０のみであるものの、絞り羽根１００の駆動に連動させて漏光防止羽根２００も駆動することができる。
【００３７】
したがって、第１カム溝３３０は、絞り羽根１００を駆動するために必要な長さに形成すれば十分であり、漏光防止羽根２００を駆動するためのカム溝を形成する必要がない。そのため、その分、第１カム溝３３０の長さは、従来の絞り装置におけるカム溝の長さよりも短くすることができる。このように、第１カム溝３３０の長さを短くできるため、駆動環３００に設けることができる第１カム溝３３０の数を増やすことが容易となる。これに対応して絞り羽根１００の枚数を増やすことが容易となる。併せて、絞り羽根１００と一対をなしている漏光防止羽根２００の枚数も増やすことが容易となる。
かくして、実施形態１に係る絞り装置１０によれば、絞り羽根の枚数を増加させ易い絞り装置を提供することができる。
【００３８】
４．実施形態１に係る絞り装置１０のその他の詳細な構造
図４は、実施形態１における絞り羽根１００及び漏光防止羽根２００の回動について説明するために示す平面図である。一対をなす絞り羽根１００及び漏光防止羽根２００、並びにそれらに対応する第１カム溝３３０については図示され、その他の絞り羽根、漏光防止羽根及び第１カム溝については図示が省略されている。
図５は、実施形態１に係る絞り装置１０の要部を説明する図である。図５（ａ）は、一対をなす絞り羽根１００及び漏光防止羽根２００と、それらに対応する収容体４００の一部とを取り出して示した平面図であり、図５（ｂ）は、漏光防止羽根２００の第２突出部２４０近傍に焦点を当てて拡大した平面図である。その他の構成要素については図示が省略されている。
【００３９】
（１）第１固定ボス１２０と第２固定ボス２２０との位置関係  
実施形態１に係る絞り装置１０において、駆動環３００の回転方向であって、駆動環３００を回転させて第１カム溝３３０を移動させることによって、絞り羽根１００を光軸ＯＡに向けて移動せしめる方向《絞り羽根１００を開口４１３の内側（−ｒ方向）に突出させる方向。》を絞り回転方向ＲＯＴとする（図２、図３及び図４参照。）。
このとき、漏光防止羽根２００の第２固定ボス２２０は、絞り羽根１００の第１固定ボス１２０よりも絞り回転方向ＲＯＴの前方に位置するように、一対をなす絞り羽根１００及び漏光防止羽根２００が配置され、且つ、一対の第１孔４０１ｊ及び第２孔４０２ｊの位置関係が設定されている。
【００４０】
図３、図４等に示すように、絞り羽根１００の移動ボス１３０は、第１固定ボス１２０よりも絞り回転方向ＲＯＴの後方に位置している。移動ボス１３０から力を受ける漏光防止羽根２００の第２カム溝２３０は、絞り羽根１００の第１固定ボス１２０よりも後方に位置している。
ここで、第２固定ボス２２０を、第１固定ボス１２０よりも絞り回転方向ＲＯＴの前方に位置するように配置することにより、図４に示すように、第２固定ボス２２０と第２カム溝２３０（又は第２カム溝２３０に嵌挿された移動ボス１３０）との間の距離Ｌ２を、第１固定ボス１２０と移動ボス１３０との間の距離Ｌ１よりも長く設定することができる。つまり、漏光防止羽根２００の回動に関係する支点と力点との間の距離Ｌ２を、絞り羽根１００の回動に関係する支点と力点との間の距離Ｌ１よりも長く設定することができる。
駆動環３００を回転させて、移動ボス１３０を例えば図４に示す軌跡Ｓ１で回動させた場合、これに連動して第２カム溝２３０は、第２固定ボス２２０を中心にして回動することになる。駆動環３００の回転によって移動ボス１３０が軌跡Ｓ１を描いたときの、絞り羽根１００が回動する角度をθ１とし、漏光防止羽根２００が回動する角度をθ２としたとき、実施形態１における絞り装置１０においてこれらの角度の関係はθ２＜θ１となる。
つまり、漏光防止羽根２００が回動する角速度は、絞り羽根１００が回動する角速度よりも遅くなっている。したがって、漏光防止羽根２００の第２羽根部２１０の先端２１６を、絞り羽根１００の第１羽根部１１０の先端１１６よりも後から遅れて絞り装置１０の開口４１３の内側に突出させることができる。よって、漏光防止羽根２００が絞り羽根１００よりも先に開口４１３の内側に突出してしまい、漏光防止羽根２００が絞り開口を形成してしまうことを防止できる。
【００４１】
（２）収容体４００に設けられた凹部４１６    
（ａ）絞り羽根１００の第１突出部１４０に対応して設けられた凹部４１６ 
実施形態１に係る絞り装置１０において、収容体４００は、絞り羽根１００及び漏光防止羽根２００が内側に配置される円筒形の外周壁４１０を有し、この外周壁４１０の内側（光軸ＯＡ側）には、駆動環３００が載置される駆動環載置面４１２を有する段部４１４が配置されている。収容体４００を、光軸ＯＡに沿って平面視したとき、この収容体４００の段部４１４には、第１突出部１４０の輪郭のうち少なくとも一部の輪郭が入り込む凹部４１６が設けられている。
実施形態１に係る絞り装置１０において、絞り羽根１００は、第１固定ボス１２０が配設されており、且つ、第１羽根部１１０から突出している第１突出部１４０を有する。つまり、図５で示すように（図３も併せて参照。）、絞り装置１０を光軸ＯＡに沿って平面視したとき、絞り羽根１００には、第１羽根部１１０から光軸ＯＡから離れる方向に突出した第１突出部１４０が形成されている。言い換えれば、絞り羽根１００は、第１羽根部１１０の部分については羽根幅を狭くされ、第１固定ボス１２０が設けられる部分を第１羽根部１１０よりも羽根幅の広い第１突出部１４０として形成されている。第１固定ボス１２０は、第１突出部１４０に配設されている。この第１突出部１４０の輪郭のうち最も光軸ＯＡからの距離が遠い輪郭１４０’は、フル開放状態において第１羽根部１１０の外周縁１１２よりも外側（光軸ＯＡから離れる方向）の位置に位置するように構成されている。
【００４２】
（ｂ）漏光防止羽根２００の第２突出部２４０に対応して設けられた凹部４１６ 
収容体４００は、絞り羽根１００及び漏光防止羽根２００が内側（−ｒ方向側）に配置される円筒形の外周壁４１０を有している。この外周壁４１０の内側には、駆動環３００が載置される駆動環載置面４１２を有する段部４１４が配置されている。そして、収容体４００を光軸ＯＡに沿って平面視したとき、段部４１４には、第２突出部２４０の輪郭のうち少なくとも一部の輪郭が入り込む凹部４１６が設けられている。
実施形態１に係る絞り装置１０において、漏光防止羽根２００は、第２固定ボス２２０が配設されており、且つ、第２羽根部２１０から突出している第２突出部２４０を有する。つまり、図５で示すように（図３も併せて参照。）、絞り装置１０を光軸ＯＡに沿って平面視したとき、漏光防止羽根２００には、第２羽根部２１０から光軸ＯＡから離れる方向に突出した第２突出部２４０が形成されている。言い換えれば、漏光防止羽根２００は、第２羽根部２１０の部分については羽根幅を狭くされ、第２固定ボス２２０が設けられる部分を第２羽根部２１０よりも羽根幅の広い第２突出部２４０として形成されている。第２固定ボス２２０は、第２突出部２４０に配設されている。この第２突出部２４０の輪郭のうち最も光軸ＯＡからの距離が遠い輪郭２４０’は、フル開放状態において第２羽根部２１０の外周縁２１２よりも外側（光軸ＯＡから離れる方向）の位置に位置するように構成されている。
【００４３】
以下、上記（ｂ）漏光防止羽根２００の第２突出部２４０の付近を中心に注目して作用・効果の説明を続ける。
図５（ｂ）に示すように、漏光防止羽根２００には、第２突出部２４０が、第２羽根部２１０の外周縁２１２（Ａ３で示した円弧の位置）よりも外側（光軸ＯＡからの距離が遠い側）の位置（Ａ１で示した円弧の位置）に位置するように設けられている。収容体４００の段部４１４には、第２突出部２４０の少なくとも一部が入り込む凹部４１６が設けられている。
言い換えると、第２突出部２４０が設けられることで、凹状の領域Ｒ（網掛けで示した領域）が形成される。領域Ｒは、仮想線Ａ１と第２羽根部２１０の外周縁２１２（Ａ３で示した円弧の位置）との間の領域である。仮想線Ａ１は、仮に第２突出部２４０を設けなかった場合（漏光防止羽根２００の羽根の幅を、第２羽根部２１０の部分についても、第２突出部２４０の部分と同じにした場合。）の第２羽根部２１０の外周縁の位置である。したがって、第２突出部２４０を設ける（第２羽根部２１０の部分の羽根幅を第２突出部２４０の部分の羽根幅よりも狭くする）ことで、仮想線Ａ１と第２羽根部２１０の外周縁２１２（Ａ３で示した円弧の位置）との間に凹状の領域Ｒが形成される。この領域Ｒには、駆動環載置面４１２の一部をこの領域Ｒに食い込んだ形で配置することができる。
このような構成によれば、元々相応の幅Ｗが必要とされる駆動環載置面４１２について、その幅の一部を上記領域Ｒ内に配置させることができ（駆動環載置面４１２を内側にシフトさせることができ）、結果として、収容体４００の外周壁４１０の大径化を抑えることができ、ひいては絞り装置１０を小型化することができる。
また、上記（ｂ）の構成によれば、第２固定ボス２２０と第２カム溝２３０との間の距離を長くすることができ、漏光防止羽根２００をより円滑に駆動することができる。
【００４４】
絞り羽根１００についても、第１突出部１４０が、第１羽根部１１０の外周縁１１２よりも外側（光軸ＯＡからの距離が遠い側）の位置に位置するように構成されている。そして、収容体４００の段部４１４には、第１突出部１４０の少なくとも一部が入り込む凹部４１６が設けられている。
そのため、第１突出部１４０を設けることで、仮に第１突出部１４０を設けない場合に比べて、収容体４００の外周壁４１０の大径化を抑えることができ、ひいては絞り装置１０を小型化することができる。
【００４５】
また、上記（ａ）の構成によれば、第１固定ボス１２０と移動ボス１３０との間の距離を長くすることができ、絞り羽根１００をより円滑に駆動することができる。
さらに、上記（ａ）の構成とした場合、第１突出部１４０を第１羽根部１１０の外周縁から突出させない場合（第１突出部１４０が無い場合）に比べて、第１固定ボス１２０の光軸ＯＡからの距離を長くすることができる。第１固定ボス１２０の光軸ＯＡからの距離を長くすると、それに応じて、絞り羽根１００の長さを長くする必要がある。これは、同じ絞り開口径を形成する場合、第１固定ボス１２０の光軸ＯＡからの距離が長いほど、絞り羽根１００の長さを長くする必要があるからである。一方、絞り羽根１００の長さが長くなると、絞り回転方向ＲＯＴで前後する絞り羽根１００同士の重なりの面積を広くすることができ、該前後する絞り羽根１００同士の間に形成される隙間を小さくできる。つまり、漏光防止羽根２００の大きさを小さくし、漏光防止羽根２００の移動量を少なくすることができる。
【００４６】
（３）羽根の外周縁を切り欠いた凹部１１４，２１４  
実施形態１に係る絞り装置１０は、図３及び図５（ａ）に示すように、一対をなす絞り羽根１００及び漏光防止羽根２００のそれぞれの外周縁には、凹部１１４，２１４が設けられている。
凹部１１４，２１４は、絞り羽根１００及び漏光防止羽根２００が絞り開口の開口径を最大とする位置（フル開放の位置、すなわち、絞り羽根１００及び漏光防止羽根２００が収容体４００の幅内に退避された位置。）に移動させられたときに、別の一対をなす（絞り回転方向の後方で隣接する）絞り羽根１００及び漏光防止羽根２００についての第２固定ボス２２０《図５（ａ）において、第２孔４０２ｊ＋１を示した位置に対応して配置される第２固定ボス２２０。》を内側（外周縁を切り欠かなかったとした場合の羽根の輪郭の内側。）に配置できるように設けられている。
【００４７】
このような実施形態１に係る絞り装置１０によれば、一対をなす絞り羽根１００及び漏光防止羽根２００と、別の一対をなす絞り羽根１００及び漏光防止羽根２００についての第２固定ボス２２０とが重なることなく干渉を避けることができる。このため、絞り装置１０の大径化を抑えることができる。仮に凹部１１４，２１４を設けない場合には、第１羽根部１１０の外周縁１１２及び第２羽根部２１０の外周縁２１２の外側に別の一対をなす絞り羽根１００及び漏光防止羽根２００についての第２固定ボス２２０を配置する必要があり、絞り装置１０の大径化を招いてしまう。
実施形態１に係る絞り装置１０は、図３及び図５（ａ）に示すように、一対をなす絞り羽根１００及び漏光防止羽根２００の外周縁には、絞り羽根１００及び漏光防止羽根２００が絞り開口の開口径を最大とする位置（フル開放の位置、すなわち、絞り羽根１００及び漏光防止羽根２００が収容体４００の幅内に退避された位置。）に移動させられたときに、別の一対をなす（絞り回転方向の後方で隣接する）絞り羽根１００及び漏光防止羽根２００についての第２固定ボス２２０を内側に配置するように切り欠いた凹部１１４，２１４が設けられている。
実施形態１においては、絞り羽根１００及び漏光防止羽根２００にそれぞれ凹部１１４および凹部２１４を設けているが、凹部はいずれか一方の羽根のみに設けてもよい。この場合には、絞り羽根１００及び漏光防止羽根２００が絞り開口の開口径を最大とする位置に移動されたときに羽根が第２固定ボス２２０に干渉しないように、凹部を設けない側の羽根幅を狭くする。なお、少なくとも漏光防止羽根２００に凹部２１４を設けることで、第２カム溝２３０を形状（長さ、配置等）の自由度を高くすることができる。
実施形態１においては、別の一対をなす絞り羽根１００及び漏光防止羽根２００のうち、漏光防止羽根２００についての第２固定ボス２２０を逃がすように凹部１１４，２１４が設けているが、絞り羽根１００の第１固定ボス１２０を逃がすための別の凹部を更に設けるものとしてもよい。
【００４８】
（４）第１カム溝３３０及び第２カム溝２３０の長さ  
実施形態１に係る絞り装置１０は、図３に示すように、第２カム溝２３０を延べた長さは、第１カム溝３３０を延べた長さよりも短い。
換言すると第１カム溝３３０を延べた長さを、第２カム溝２３０を延べた長さよりも長く設定することにより、第１カム溝３３０を可能な限り駆動環３００の幅一杯に近いほどに設けることができ、狭い幅の駆動環３００を有効に用いながら羽根を内側方向に移動させる量（ストローク量）を可能な限り稼ぐことができる。
また、上記のような絞り装置１０によれば、必要最小限の長さの第２カム溝２３０を設けることで足りるため、漏光防止羽根２００もコンパクトに形成することができ、絞り装置１０の小型化に資することができる。
【００４９】
（５）第１カム溝３３０と第２カム溝２３０とのなす角度  
実施形態１に係る絞り装置１０は、図４に示すように、光軸ＯＡを中心とした円周方向に対する第１カム溝３３０の角度を、絞り回転方向ＲＯＴに向かうにつれて光軸ＯＡから離れる方向に傾斜させる角度としている。一方、第２カム溝２３０は、該円周方向に対する角度を、第１カム溝３３０の円周方向に対する角度に比べて小さく形成されている。
このような実施形態１に係る絞り装置１０によれば、光軸をＯＡ中心とした円周方向に対する第２カム溝２３０の角度を、光軸をＯＡ中心とした円周方向に対する第１カム溝３３０の角度に比べて小さくしている。そのため、第２カム溝２３０の角度の方を第１カム溝３３０の角度よりも大きくした場合に比べて、漏光防止羽根２００の駆動が円滑に行われる。第２カム溝２３０を、光軸ＯＡを中心とした円周方向に沿って形成することで、漏光防止羽根２００の駆動をより円滑に行うことができる。
【００５０】
絞り羽根１００が当該絞り装置１０の開口４１３に突出していないフル開放状態において、第１カム溝３３０と第２カム溝２３０とが交差する角度は、比較的小さな角度（例えば３０°以下。）であることが好ましい。移動ボス１３０が第１カム溝３３０及び第２カム溝２３０に嵌挿されている関係上、このような構成にすることで、特に駆動環３００の回転を起動させる際に、より円滑に絞り羽根１００及び漏光防止羽根２００を駆動させることができる。
【００５１】
［実施形態２］  
次に実施形態２に係る絞り装置１０ａを、図６を用いて説明する。
図６は、実施形態２に係る絞り装置１０ａの要部を説明するために示す斜視図である。
【００５２】
実施形態２に係る絞り装置１０ａは、基本的には実施形態１に係る絞り装置１０と同様の構成を有するが、絞り羽根１００ａ及び漏光防止羽根２００ａの形状、並びに、収容体４００ａの外周壁４１０ａの内側に設けられた駆動環３００が載置される駆動環載置面４１２ａを有する段部４１４ａの形状において、実施形態１に係る絞り装置１０とは異なる。すなわち、実施形態２に係る絞り装置１０ａは、図６に示すように、絞り羽根１００ａには実施形態１における第１突出部１４０のような部位は有しておらず、且つ、漏光防止羽根２００ａにも第２突出部２４０のような部位は有していない。また、収容体４００ａの外周壁４１０ａの内側に設けられた駆動環載置面４１２ａを有する段部４１４ａにおいて、実施形態１における凹部４１６のような部位は有しておらず、段部４１４ａの内壁は光軸ＯＡを中心とした円状に形成されている。
【００５３】
このように、実施形態２に係る絞り装置１０ａは、絞り羽根１００ａ、漏光防止羽根２００ａ及び収容体４００ａの形状において、実施形態１に係る絞り装置１０とは異なるが、絞り羽根１００ａ、漏光防止羽根２００ａ及び収容体４００ａは、実施形態１に係る絞り装置１０に比べてより簡便な構造をとる。そのため、設計、製造等の省力化を進めることができ、低コスト化を進めることができる。
なお、実施形態２に係る絞り装置１０ａは、絞り羽根１００ａ、漏光防止羽根２００ａ及び収容体４００ａ以外の構成においては、実施形態１に係る絞り装置１０と同様の構成を有する。そのため、実施形態１に係る絞り装置１０が有する効果のうち該当する効果を同様に有する。
【００５４】
［実施形態３］
実施形態３に係るレンズ鏡筒２０は、図７に示すように、レンズ鏡筒本体２２の内側に、実施形態１に係る絞り装置１０と、複数のレンズ２４とが収容されている。
実施形態３に係るレンズ鏡筒２０は、実施形態１に係る絞り装置１０を備えているため、大型化が抑えられると共に、撮像状態が好適なレンズ鏡筒２０の提供が可能となる。
なお、実施形態３において、実施形態１に係る絞り装置１０に替えて実施形態２に係る絞り装置１０ａを適用してもよい。
【００５５】
［実施形態４］
実施形態４に係る撮像装置３０は、図７に示すように、実施形態１に係る絞り装置１０、又は、実施形態３に係るレンズ鏡筒２０と、撮像装置本体３２とを備える。実施形態４に係る撮像装置３０は、例えばカメラ等に適用することができる。
また、実施形態４に係る投影装置３５は、図７に示すように、実施形態１に係る絞り装置１０、又は、実施形態３に係るレンズ鏡筒２０と、投影装置本体３７とを備える。実施形態４に係る投影装置３５は、例えばプロジェクタ等に適用することができる。
【００５６】
実施形態４に係る撮像装置３０又は投影装置３５は、実施形態１に係る絞り装置１０、又は、実施形態３に係るレンズ鏡筒２０を備えているため、大型化が抑えられると共に、撮像状態が好適なレンズ鏡筒２０の提供が可能となる。
なお、実施形態４において、実施形態１に係る絞り装置１０に替えて実施形態２に係る絞り装置１０ａを適用してもよい。
【００５７】
以上、本発明を上記の実施形態に基づいて説明したが、本発明は上記の実施形態に限定されるものではない。その趣旨を逸脱しない範囲において実施することが可能であり、例えば、次のような変形も可能である。
【００５８】
（１）上記実施形態において記載した構成要素の数、材質、形状、位置、大きさなどは例示であり、本発明の効果を損なわない範囲において変更することが可能である。
【００５９】
（２）実施形態１及び実施形態２においてカメラ等の撮像装置を例に説明したが、これに限られるものではなく、例えばプロジェクタ等の投影装置においても適用可能である。
【００６０】
（３）実施形態１及び実施形態２において、第１固定ボス１２０、第２固定ボス２２０及び移動ボス１３０として挙げられた「ボス」は、一定の半径を有する円筒状をなしているがこれに限られるものではない。第１固定ボス１２０及び第２固定ボス２２０にあっては回動の軸となりうる形状であればよく、また、移動ボス１３０は第１カム溝３３０及び第２カム溝２３０に嵌挿し力を伝えうるものであればよく、例えば、半径がほぼ０のリード線状のもの、円錐状のもの、きのこ状のもの等であってもよい。
【符号の説明】
【００６１】
１０，１０ａ，９００…絞り装置、２０…レンズ鏡筒、２４…レンズ、３０…撮像装置、３２…撮像装置本体、３５…投影装置、３７…投影装置本体、１００，１００ａ，９１０…絞り羽根、１０２…第１平面板、１１０…第１羽根部、１１２…第１羽根部の外周縁、１１４…第１羽根部の外周縁を切り欠いた凹部、１１６…第１羽根部の先端、１２０…第１固定ボス、１３０…移動ボス、１４０…第１突出部、１４０'…第１突出部の輪郭、２００，２００ａ，９２０…漏光防止羽根、２０２…第２平面板、２１０…第２羽根部、２１２…第２羽根部の外周縁、２１４…第２羽根部の外周縁を切り欠いた凹部、２１６…第２羽根部の先端、２２０…第２固定ボス、２３０…第２カム溝、２４０…第２突出部、２４０'…第２突出部２４０の輪郭のうち最もｒ方向側の輪郭、３００，９３０…駆動環、３１０…駆動環本体、３３０…第１カム溝、３４０…回転レバー、４００，４００ａ，９４０…収容体、４０１ｊ，９４１ｊ…第１孔、４０２ｊ，９４２ｊ…第２孔、４１０，４１０ａ…外周壁、４１１…外周壁の切欠部、４１２，４１２ａ…駆動環載置面、４１３…開口、４１４，４１４ａ…段部、４１６…段部に設けられた凹部、５００…スナップリング、９１１…絞り羽根本体、９１２…絞り羽根固定ボス、９１３…絞り羽根移動ボス、９２１…漏光防止羽根本体、９２２…漏光防止羽根固定ボス、９２３…漏光防止羽根移動ボス、９３３…カム溝
【図１】
2017227742.tif 000003
【図２】
2017227742.tif 000004
【図３】
2017227742.tif 000005
【図４】
2017227742.tif 000006
【図５】
2017227742.tif 000007
【図６】
2017227742.tif 000008
【図７】
2017227742.tif 000009
【図８】
2017227742.tif 000010